(57)【要約】【課題】複数の濾過板の濾過槽内への組み付けを容易かつ短時間に行うことができる濾過濃縮装置を提供すること。【解決手段】複数の濾過板３を所定ピッチで濾過槽内に沈め、該濾過槽内の濾過対象水を濾過板３を介して濾過し、濾過された濾過水を外部に排出しつつ濾過対象水を濃縮する濾過濃縮装置であって、複数の濾過板３の両側でその板面に直交する方向に延設され、これらの各濾過板３を前記所定ピッチで位置決め支持する一対の濾過板支持部４５が複数形成された一対の支持部材４１を有するユニット枠４０を備え、各濾過板３の上部両側には、濾過板支持部４５によって位置決めされる一対の被支持パイプ３０が設けられ、各濾過板３は、ユニット枠４０の各濾過板支持部４５に位置決めされた状態でユニット枠４０とともに前記濾過槽内に配置される。【選択図】図２
2013212439.tif 000002
【特許請求の範囲】
【請求項１】
複数の濾過板を所定ピッチで濾過槽内に沈め、該濾過槽内の濾過対象水を前記濾過板を介して濾過し、濾過された濾過水を外部に排出しつつ濾過対象水を濃縮する濾過濃縮装置であって、
前記複数の濾過板の両側でその板面に直交する方向に延設され、これらの各濾過板を前記所定ピッチで位置決め支持する一対の濾過板支持部が複数形成された一対の支持部材を有するユニット枠を備え、
前記各濾過板の上部両側には、前記濾過板支持部によって位置決めされる一対の被支持部が設けられ、
前記各濾過板は、前記ユニット枠の各濾過板支持部に位置決めされた状態で前記ユニット枠とともに前記濾過槽内に配置されることを特徴とする濾過濃縮装置。
【請求項２】
前記ユニット枠及び濾過槽は、互いに位置決めする位置決め機構を有していることを特徴とする請求項１に記載の濾過濃縮装置。
【請求項３】
前記ユニット枠は、前記各濾過板下部における前後方向の揺動を規制する一対の濾過板規制部が複数形成された一対の規制部材を備えたことを特徴とする請求項１または２に記載の濾過濃縮装置。
【請求項４】
前記被支持部は、正方形断面を有し、隣り合う下側二斜面が側面視で４５°の傾斜角に設定されるようにして前記濾過板の上部両側に固着された一対の角パイプによって形成されており、
前記濾過板支持部は、前記角パイプの下側二斜面が係合する一対の溝部として形成されていることを特徴とする請求項１〜３のいずれか一つに記載の濾過濃縮装置。
【請求項５】
前記被支持部は、環状の被支持線材であり、
前記濾過板支持部は、前記濾過板の上部両側に固着された支持棒であり、
前記支持棒及び前記被支持線材は、前記ユニット枠に対して前記濾過板を釣支することを特徴とする請求項１〜３のいずれか一つに記載の濾過濃縮装置。
【発明の詳細な説明】
【技術分野】
【０００１】
この発明は、濾布の周囲を濾過枠によって支持してなる複数の濾過板を所定ピッチで濾過槽内に沈め、該濾過槽内の濾過対象水を前記濾過板を介して濾過し、該濾過された濾過水を外部に排出するとともに、該濾過対象水を濃縮する濾過濃縮装置に関する。
【背景技術】
【０００２】
汚泥などの脱水処理では、加圧や真空などによる機械的脱水処理が一般的であるが、この機械的脱水処理では、処理に要するエネルギーが大きい。このため、サイフォンの原理を利用し、濾布などの濾過手段の表面に汚泥を吸引付着させ、汚泥中の水分を吸引して濃縮する濾過濃縮装置を用いて、脱水処理にかかるエネルギー負荷を軽減するものがある（特許文献１参照）。
【先行技術文献】
【特許文献】
【０００３】
【特許文献１】特開２００９−２１４０８６号公報
【発明の概要】
【発明が解決しようとする課題】
【０００４】
ところで、複数の濾過板は、それぞれ現場で１枚ずつ吊り上げ、濾過槽内に所定ピッチで差し込んで懸架し配列する必要があり、濾過濃縮装置の組立作業に多大な時間と労力とを要していた。
【０００５】
この発明は、上記に鑑みてなされたものであって、複数の濾過板の濾過槽内への組み付けを容易かつ短時間に行うことができる濾過濃縮装置を提供することを目的とする。
【課題を解決するための手段】
【０００６】
上述した課題を解決し、目的を達成するために、この発明にかかる濾過濃縮装置は、複数の濾過板を所定ピッチで濾過槽内に沈め、該濾過槽内の濾過対象水を前記濾過板を介して濾過し、濾過された濾過水を外部に排出しつつ濾過対象水を濃縮する濾過濃縮装置であって、前記複数の濾過板の両側でその板面に直交する方向に延設され、これらの各濾過板を前記所定ピッチで位置決め支持する一対の濾過板支持部が複数形成された一対の支持部材を有するユニット枠を備え、前記各濾過板の上部両側には、前記濾過板支持部によって位置決めされる一対の被支持部が設けられ、前記各濾過板は、前記ユニット枠の各濾過板支持部に位置決めされた状態で前記ユニット枠とともに前記濾過槽内に配置されることを特徴とする。
【０００７】
また、この発明にかかる濾過濃縮装置は、上記の発明において、前記ユニット枠及び濾過槽は、互いに位置決めする位置決め機構を有していることを特徴とする。
【０００８】
また、この発明にかかる濾過濃縮装置は、上記の発明において、前記ユニット枠は、前記各濾過板下部における前後方向の揺動を規制する一対の濾過板規制部が複数形成された一対の規制部材を備えたことを特徴とする。
【０００９】
また、この発明にかかる濾過濃縮装置は、上記の発明において、前記被支持部は、正方形断面を有し、隣り合う下側二斜面が側面視で４５°の傾斜角に設定されるようにして前記濾過板の上部両側に固着された一対の角パイプによって形成されており、前記濾過板支持部は、前記角パイプの下側二斜面が係合する一対の溝部として形成されていることを特徴とする。
【００１０】
また、この発明にかかる濾過濃縮装置は、上記の発明において、前記被支持部は、環状の被支持線材であり、前記濾過板支持部は、前記濾過板の上部両側に固着された支持棒であり、前記支持棒及び前記被支持線材は、前記ユニット枠に対して前記濾過板を釣支することを特徴とする。
【発明の効果】
【００１１】
この発明によれば、装置外で予め複数の濾過板がユニット枠に所定ピッチで位置決め配列された状態で複数の濾過板がユニット枠に組み込まれて一体となった濾過板ユニットとして濾過槽内に組み付けられるようにしているので、現場での複数の濾過板の濾過槽内への組み付けを容易かつ短時間に行うことができる。
【図面の簡単な説明】
【００１２】
【図１】図１は、この発明の実施の形態にかかる濾過濃縮装置の概要構成を示す模式図である。
【図２】図２は、ユニット枠に濾過板を組み込む状態を示す模式図である。
【図３】図３は、ユニット枠の構成を示す平面図である。
【図４】図４は、濾過板の支持原理を示す側面図である。
【図５】図５は、この発明の実施の形態の変形例１にかかる濾過濃縮装置のユニット枠の構成を示す模式図である。
【図６】図６は、この発明の実施の形態の変形例２にかかる濾過濃縮装置のユニット枠の濾過板支持部の構成を示す模式図である。
【図７】図７は、この発明の実施の形態の変形例３にかかる濾過濃縮装置のユニット枠と濾過板との構成を示す模式図である。
【発明を実施するための形態】
【００１３】
以下、添付図面を参照してこの発明を実施するための形態について説明する。
【００１４】
（全体構成）
図１は、この発明の実施の形態にかかる濾過濃縮装置の概要構成を示す模式図である。濾過濃縮装置１は、脱水処理対象の濾過対象水である汚泥が蓄えられる濾過槽２と、濾過槽２内に複数配置され、蓄えられた汚泥を濾過するとともに濃縮する濾過板３と、各濾過板３から濾過水を排出する濾過ホース２０と、濾過ホース２０が接続される複数のヘッダタンク４とを有する。
【００１５】
濾過槽２は、上方つまり天井開放の直方体の水槽であり、その中に積層した濾過板３が濾過対象水の中に浸っている。濾過槽２の下部側壁には、汚泥吸排管５の一端が連通して接続され、その管路途中には、汚泥吸排弁Ｖ１を介して汚泥吸排ポンプＰが接続されている。汚泥吸排ポンプＰを稼動し、汚泥吸排弁Ｖ１を開くことによって、濾過槽２内に汚泥を送入し、あるいは汚泥を引き抜くことができる。また、濾過槽２の底部には、図示しないスクリューコンベアなどが配置され、濃縮汚泥引抜管６の一端が連通して接続されている。この濃縮汚泥引抜管６の途中には、汚泥排出弁Ｖ２が設けられ、汚泥排出弁Ｖ２を開くことによって、濾過槽２の下部においてスクリューコンベアなどによって搬送される濃縮汚泥を外部に排出することができる。濾過板３で濾過された濾過水は、濾過ホース２０、ヘッダタンク４、及び引抜弁Ｖ４を含む濾液排出管８を介し、サイフォンの原理で外部に排出される。なお、サイフォン形成時に用いる水道水は給水弁Ｖ３を介してヘッダタンク４に供給される。また、濾過板３には、コンプレッサＣ及び空気流入弁Ｖ５を介して空気が供給され、濾過板３表面に付着した汚泥が剥離される。
【００１６】
（濾過板ユニットの組立）
図２は、濾過板３をユニット枠４０に組み込む状態を示す模式図である。また、図３は、ユニット枠４０の平面図であり、図４は、濾過板３の支持原理を示す側面図である。図２〜図４に示すように、複数の濾過板３は、ユニット枠４０に組み込まれることによって濾過板ユニットを形成する。ユニット枠４０は、ＹＺ平面に形成される一対の集合枠４３（片側のみ描画）の間に、Ｚ方向上方に一対の支持部材４１を設けるとともに、Ｚ方向下方に一対の規制部材４２を設けてなるものである。
【００１７】
一対の支持部材４１の向かい合う内側には、一対の濾過板支持部たる溝部４４が形成されている。即ち、支持部材４１の内側部分には、例えば山形鋼４５ａ，４５ｂの対４５がＸ方向に所定の均等ピッチにて配列固定されており、この配列は対面する支持部材４１のそれと向かい合う。そして、各山形鋼４５ａ，４５ｂ間に溝部４４が形成されている。
【００１８】
一方、一対の規制部材４２の向かい合う内側には、濾過板規制部たる溝部５３が形成されている。即ち、規制部材４２の内側部分には、例えば角パイプ５１がＸ方向に所定の均等ピッチにて配列固定されており、この配列は対面する支持部材４2のそれと向かい合う。
【００１９】
ここで、複数の濾過板３は、ユニット枠４０に所定ピッチＰで組み込まれる。各濾過板３は、Ｚ方向上方から、Ｙ方向に対して向かい合う一対の溝部４４に案内されて、鉛直下方に挿入される。濾過板３の挿入途中で、濾過板３は、隣り合う角パイプ５１同士の間に形成された一対の溝部５３に案内される。そして、濾過板３の一対の被支持パイプ３０の下側二斜面が溝部４４に係合することによって、各濾過板３は、Z方向に対してのみならずX方向に対してもユニット枠４０に位置決め配置される。また、角パイプ５１の取付位置は、濾過板３の下部ではなく、中間部に設けてもよい。なお、溝部５３、つまり角パイプ５１は、濾過板３が鉛直方向に長い場合、必要に応じて設けるものである。
【００２０】
このようにして複数の濾過板３が位置決め配置されたユニット枠４０は、１つの濾過板ユニットを形成し、集合枠４３の上部四隅に設けられた４つの吊り具５２を用いて濾過板ユニット単位で吊り上げられ濾過槽２内に配置される。ここで、集合枠４３の両側枠には、一対の被支持パイプ３１（被支持パイプ３０と同様の構成）が、濾過板ユニットには合計４個設けられる。一方、濾過槽２の上縁部には、位置決め部材（山形鋼４５ａ，４５ｂの対４５と同様の構成）が４セットが設けられ、４個の被支持パイプ３１が係合することによって、濾過板ユニットが濾過槽２に位置決め配置される。なお、濾過槽２内には、１以上の濾過板ユニットが隣接配置される。また、各濾過板ユニットに組み込まれる濾過板３の数は、同じでなくてもよい。この濾過板ユニットに組み込まれる濾過板３の最大数は、ユニット枠４０の強度や搬送可能な濾過板ユニットの質量などによって決定される。
【００２１】
このように事前に複数の濾過板３を複数のユニット枠４０に同時並行して束ねることができる濾過板ユニットを濾過槽２に組み付けることによって、濾過板一枚づつを直接濾過槽内に組み付けていた従来方式に比較し、現場での複数の濾過板の濾過槽内への組み付けを容易かつ短時間に行うことができる。
【００２２】
（変形例１）
上述したユニット枠４０は、規制部材４２の内側に角パイプ５１を設け、濾過板３下部における前後方向の揺動を規制するようにしていたが、図５に示すように、この変形例１では、ユニット枠４０における規制部材４２を省略したユニット枠４０ａにするとともに、集合枠４３における下部を省略した集合枠４３ａとしている。
【００２３】
これによって、ユニット枠４０に比較してコンパクトで軽量なユニット枠４０ａが実現される。なお、各濾過板３をユニット枠４０ａに組み込むに当たっては、ユニット枠４０ａを地組み用の架台に乗せ、地上からの高さ寸法を保持する。
【００２４】
（変形例２）
上述したユニット枠４０では、支持部材４１における溝部４４を山形鋼４５ａ，４５ｂの対４５によって形成するようにしていたが、図６に示すように、この変形例２では、支持部材５５における溝部５６を平板の切り欠き５４によって形成している。
【００２５】
ここで、このような支持部材５５は、所定長の長尺の平板プレートにおいて、切り欠き５４に相当する部分をレーザ加工によって取り除き、かつ、取り除かれずに残った凸状部分をＬ形に折り曲げ加工するだけで容易に形成することができる。なお、上述した規制部材における溝部５３も、このような切り欠き５４によって形成された溝部５６で構成することができる。
【００２６】
（変形例３）
上述したユニット枠４０では、溝部４４及び被支持パイプ３０を係合させることによって、濾過板３を位置決めするようにしていたが、図７に示すように、この変形例３では、溝部４４の代わりに支持棒６１を設け、被支持パイプ３０の代わりに環状部材たる被支持線材７１を設け、釣支することによって、ユニット枠４０ｂに対し濾過板３ａを位置決めするようにしている。
【００２７】
ここで、被支持線材７１は、各々が、濾過板３ａの上端外側（基端部）から上側かつ外側（斜め上方）に向けて延出するように設けられている。また一対の被支持線材７１は、その剛性により傾斜姿勢を維持している。
【符号の説明】
【００２８】
１  濾過濃縮装置
２  濾過槽
３，３ａ  濾過板
４  ヘッダタンク
５  汚泥吸排管
Ｖ１  汚泥吸排弁
Ｐ  汚泥吸排ポンプ
６  濃縮汚泥引抜管
Ｖ２  汚泥排出弁
７  給水管
Ｖ３  給水弁
８  濾液排出管
Ｖ４  引抜弁
９  空気流入管
Ｖ５  空気流入弁
Ｃ  コンプレッサ
２０  濾過ホース
３０，３１  被支持パイプ
４０，４０ａ，４０ｂ  ユニット枠
４１  支持部材
４２  規制部材
４３，４３ａ  集合枠
４４  溝部
４５  対
４５ａ，４５ｂ  山形鋼
５１  角パイプ
５２  吊り具
５４  切り欠き
５５  支持部材    
６１  支持棒
７１  被支持線材
【図１】
2013212439.tif 000003
【図２】
2013212439.tif 000004
【図３】
2013212439.tif 000005
【図４】
2013212439.tif 000006
【図５】
2013212439.tif 000007
【図６】
2013212439.tif 000008
【図７】
2013212439.tif 000009